(57)【特許請求の範囲】
【請求項１】
建物の壁パネルに補助部材を取り付けるときに使用する壁パネル用補助部材の取付治具であって、
前記壁パネルが、板状の面材と、この面材を支持固定する方形に組まれた枠体とから構成され、前記枠体が、断面略コ字形状で開口部を有する型材で形成され、前記補助部材が、部材本体と、前記枠体に釘等の固定具により固定される板状取付片とからなり、
前記取付治具が、隙間を設けて並設され上端部で結合された内側板体と外側板体とからなり、前記内側板体が枠体を形成する型材の開口部巾寸法より僅かに小さい厚さ寸法になされ、前記内側板体と外側板体との隙間が、前記型材の板厚と前記補助部材の取付片の板厚を合わせた寸法より大になされ、内側板体から外側板体に通じる釘等の固定具を挿通可能な貫通孔が形成されていることを特徴とする壁パネル用補助部材の取付治具。
【請求項２】
前記壁パネルが外壁パネルであり、前記補助部材が外壁パネル下端部に取り付けられる基礎水切りであることを特徴とする請求項１記載の壁パネル用補助部材の取付治具。
【請求項３】
前記取付治具を使用した補助部材の取付方法であって、壁パネルの枠体に、補助部材の取付片を当接し、取付片とこの取付片に当接する枠体とを、前記取付治具の内側板体と外側板体との隙間に挿入し、外側板体の貫通孔から釘等の固定具を打ち込み、この固定具を補助部材の取付片から壁パネルの枠体に貫通させ、補助部材を壁パネルの枠体に取り付けることを特徴とする請求項１または２記載の取付治具を使用した補助部材の取付方法。
【発明の詳細な説明】
【０００１】
【発明が属する技術分野】
本発明は、建物の壁パネルに補助部材を取り付けるときに使用する壁パネル用補助部材の取付治具に関する。
【０００２】
【従来の技術】
従来、建物の外壁パネル等において、その下端部に基礎水切り等の補助部材を取り付け、これによって、建物の見栄えをよくしたり、外壁の断熱性を向上させたりしている（実開平３−８２５３号公報参照）。
【０００３】
【発明が解決しようとする課題】
しかしながら、上記公報記載の従来技術において、外壁パネルの枠体を断面コ字形状の型材で形成し、この型材に補助部材の取付板片を釘等で固定しようとすると、釘打ち機の衝撃力で上記枠体が変形するという問題があった。殊に、上記枠体が薄肉板材で形成されていると、変形が顕著となる。
【０００４】
本発明は、上記の問題を解決するためになされたものであって、壁パネルの枠体に補助部材を取り付ける際、枠体の変形を防止できる補助部材の取付治具と、この取付治具を使用した補助部材の取付方法を提供することである。
【０００５】
【課題を解決するための手段】
請求項１記載の本発明は、建物の壁パネルに補助部材を取り付けるときに使用する壁パネル用補助部材の取付治具であって、
前記壁パネルが、板状の面材と、この面材を支持固定する方形に組まれた枠体とから構成され、前記枠体が、断面略コ字形状で開口部を有する型材で形成され、前記補助部材が、部材本体と、前記枠体に釘等の固定具により固定される板状取付片とからなり、
前記取付治具が、隙間を設けて並設され上端部で結合された内側板体と外側板体とからなり、前記内側板体が枠体を形成する型材の開口部巾寸法より僅かに小さい厚さ寸法になされ、前記内側板体と外側板体との隙間が、前記型材の板厚と前記補助部材の取付片の板厚を合わせた寸法より大になされ、内側板体から外側板体に通じる釘等の固定具を挿通可能な貫通孔が形成されていることを特徴とする。
【０００６】
請求項２記載の本発明は、請求項１記載の発明において、前記壁パネルが外壁パネルであり、前記補助部材が外壁パネル下端部に取り付けられる基礎水切りであることを特徴とする。
【０００７】
請求項３記載の本発明は、請求項１または２記載の前記取付治具を使用した補助部材の取付方法であって、壁パネルの枠体に、補助部材の取付片を当接し、取付片とこの取付片に当接する枠体とを、前記取付治具の内側板体と外側板体との隙間に挿入し、外側板体の貫通孔から釘等の固定具を打ち込み、この固定具を補助部材の取付片から壁パネルの枠体に貫通させ、補助部材を壁パネルの枠体に取り付けることを特徴とする。
【０００８】
【作用】
請求項１または２記載の取付治具と、請求項３記載の前記取付治具を使用した補助部材の取付方法において、取付治具の外側板体の貫通孔から釘等の固定具を打ち込み、この固定具を補助部材の取付片から壁パネルの枠体に貫通させるとき、取付治具の内側板体と外側板体との隙間に、取付片とこの取付片に当接する枠体とが挿入されているので、固定具の衝撃で枠体が変形しようとしても、枠体が内側板体に当たり、枠体の変形を防止する。
【０００９】
また、取付治具には、内側板体から外側板体に通じる釘等の固定具を挿通可能な貫通孔が形成されているので、スペーサー等の入っていない部分を狙って固定具を打ち込むことができるよう、貫通孔を固定具の打ち込みの位置決めに利用でき、固定具の打ち込みに便利である。
【００１０】
【発明の実施の形態】
本発明の実施の形態を図面を参照して説明する。
図１〜図７は、本発明の一実施例であって、図１は取付治具を壁パネルと補助部材と共に示す斜視図、図２は図１の取付治具の使用状態を示す斜視図、図３は図２のＡ−Ａ線における断面図、図４は取付治具の図であって、（イ）図は側面図、（ロ）図は正面図、（ハ）図は底面図、図５は壁パネルの図であって、（イ）図は裏面側の正面図、（ロ）図は（イ）図のＢ−Ｂ線における断面図、（ハ）図は（イ）図のＣ−Ｃ線における断面図、図６は補助部材の図であって、（イ）図は側面図、（ロ）図は正面図、図７は補助部材が取り付けられた壁パネルの取付状態を示す縦断面図である。
【００１１】
１は取付治具であって、この取付治具１は、壁パネル２に補助部材３を取り付けるときに使用するものであって、上記壁パネル２は、ユニット建物（不図示）の外壁パネルであり、補助部材３は、この壁パネル２の下端部に固定具４（釘）を使用して取り付けられる基礎水切りである（図７参照）。
なお、６は通気層パネルであり、７は土台である。
【００１２】
上記壁パネル２は、図５に示すように、板状の面材２１（木片入りセメント板）と、この面材２１を支持固定する方形に組まれた枠体２２とから構成され、この枠体２２は、断面略コ字形状の薄板型鋼で形成され、この型鋼の開口側を内側に向けて配置されている。
【００１３】
上記補助部材３（基礎水切り）は、図６に示すように、長尺の部材本体３１（水切り材）と、前記枠体２２に釘４により固定される取付片３２とからなる。取付片３２は、部材本体３１の長手方向に間隔を設けて複数個取り付けられる。
【００１４】
上記取付治具１は、図４に示すように、隙間を設けて並設され上端部で結合された内側板体１１と外側板体１２とからなっている。
上記内側板体１１は、枠体２２を形成する型材の開口部巾寸法より僅かに小さい厚さ寸法になされている。また、前記内側板体１１と外側板体１２との隙間Ｓは、枠体２２の板厚と前記補助部材３の取付片３２の板厚を合わせた寸法より大になされている。
そして、内側板体１２から外側板体１１に通じる釘４を挿通可能な貫通孔Ｋが形成されている。なお、貫通孔Ｋは、外側板体１２において、釘打ち機５の先端が挿入できるように、広幅になされている。
【００１５】
つぎに、上記取付治具１を使用した補助部材３の取付方法について説明する（図１〜図３を参照）。
【００１６】
まず、壁パネル２の枠体２２に、補助部材３の取付片３２を当接する（図１参照）。つぎに、取付片３２と、この取付片３２に当接する枠体２２とを、前記取付治具１の内側板体１１と外側板体１２との隙間Ｓに挿入し、外側板体１２の貫通孔Ｋから固定具（釘）４を釘打ち機５を使用して打ち込み、この固定具４を補助部材３の取付片３２から壁パネル２の枠体２２に貫通させ、補助部材３を壁パネル２の枠体２２に取り付ける（図２、図３参照）。
【００１７】
上記の補助部材３が取り付けられた壁パネル２を、ユニット建物を構成する建物ユニットの構造体に取り付け、この壁パネル２の内側に通気層パネル６を取り付け、建物ユニットの組立を完成させる。
完成した建物ユニットを施工現場に輸送し、土台７の上に設置して据え付け、ユニット建物の施工を完了する。
【００１８】
（実施例の作用）
本実施例に示した取付治具１と、この取付治具１を使用した補助部材３の取付方法において、取付治具１の外側板体１２の貫通孔Ｋから固定具（釘）４を打ち込み、この固定具４を補助部材３の取付片３２から壁パネル２の枠体２２に貫通させる。
このとき、取付治具１の内側板体１１と外側板体１２との隙間Ｓに、取付片３２と、この取付片３２に当接する枠体２２とが挿入されているので、固定具４の衝撃で枠体２２が変形しようとしても、枠体２２が内側板体１１に当たり、枠体２２の変形を防止する。
【００１９】
また、取付治具１には、内側板体１１から外側板体１２に通じる固定具４を挿通可能な貫通孔Ｋが形成されているので、スペーサー等の入っていない部分を狙って固定具４を打ち込むことができるよう、貫通孔Ｋを固定具４の打ち込みの位置決めに利用でき、固定具４の打ち込みに便利である。
【００２０】
【発明の効果】
請求項１または２記載の取付治具と、請求項３記載の前記取付治具を使用した補助部材の取付方法は、固定具の衝撃で枠体が変形しようとしても、枠体が取り付け治具の内側板体に当たるので、壁パネル枠体の変形を防止することができる。
【００２１】
また、取付治具には、内側板体から外側板体に通じる釘等の固定具を挿通可能な貫通孔が形成されているが、この貫通孔を固定具の打ち込みの位置決めに利用できるので、固定具の打ち込みに便利である。
【図面の簡単な説明】
【図１】本発明の一実施例であって、取付治具を壁パネルと補助部材と共に示す斜視図である。
【図２】図１の取付治具の使用状態を示す斜視図である。
【図３】図２のＡ−Ａ線における断面図である。
【図４】取付治具の図であって、（イ）図は側面図、（ロ）図は正面図、（ハ）図は底面図である。
【図５】壁パネルの図であって、（イ）図は裏面側の正面図、（ロ）図は（イ）図のＢ−Ｂ線における断面図、（ハ）図は（イ）図のＣ−Ｃ線における断面図である。
【図６】補助部材の図であって、（イ）図は側面図、（ロ）図は正面図である。
【図７】補助部材が取り付けられた壁パネルの取付状態を示す縦断面図である。
【符号の説明】
１          取付治具
１１        内側板体
１２        外側板体
Ｓ          隙間
Ｋ          貫通孔
２          壁パネル
２１        面材
２２        枠体
３          補助部材
３１        部材本体
３２        取付片
４          固定具
【図１】
0003766169.tif 000002
【図２】
0003766169.tif 000003
【図３】
0003766169.tif 000004
【図４】
0003766169.tif 000005
【図５】
0003766169.tif 000006
【図６】
0003766169.tif 000007
【図７】
0003766169.tif 000008